(57)【要約】【課題】  従来の室外機の電装箱の冷却の場合には、台風等により風圧がかかった風雨が外気流入口から入った時には、防水壁を乗り越えて水滴が電装品箱内に侵入してしまう。また、風圧がかかった埃を含んだ空気の場合にも、風圧により電装箱内に埃が侵入する。そこで、電装品を故障させる恐れがある。【解決手段】  本発明の室外機は、冷却用吸込口２から外部空気を導く第１風路４ａと、第１風路４ａと外部空気の流れ方向が異なり、終端部が電装箱８に連通する第２風路４ｂと、第１風路４ａの終端部と第２風路４ｂの始端部とが合体する空間部５と、第１風路４ａの外部空気の流れ方向と同方向で、空間部５より先方に設けた排気口６とを備えた。【選択図】図２
2006084106.tif 000002
【特許請求の範囲】
【請求項１】
熱交換器、室外ファン、圧縮機及び電装箱等を筐体内に有し、該筐体の外面に設けた吸込口から前記室外ファンにより外部空気を吸込み、前記熱交換器を通過させ、同じく前記筐体の別の外面に設けた吹出口から外部に吹出す室外機において、
外部空気が流入する冷却用吸込口と、
前記冷却用吸込口から吸入した外部空気を導く第１風路と、
前記第１風路と外部空気の流れ方向が異なり、終端部が前記電装箱に連通する第２風路と、
前記第１風路の終端部と前記第２風路の始端部とが合体する空間部と、
前記第１風路の外部空気の流れ方向と同方向で、前記空間部より先方の風路に設けた排気口と、
を備えた通風構造体を有し、
前記室外ファンにより前記冷却用吸込口から外部空気を吸込み、前記第１風路に導き、前記空間部を経て、第２風路を通り、前記電装箱に導くとともに、外部空気の風圧が強いときは、前記第１風路に導かれた外部空気が前記空間部を経て、同方向の先方の風路の前記排気口から外部に排気されることを特徴とする室外機。
【請求項２】
前記電装箱を前記筐体内の上部側面側に設け、前記筐体の電装箱側の側面に前記通風構造体を取付け、
該通風構造体は、前記筐体の前記電装箱設置側の側面に、凹部側を前記側面側として、全体的に長形の容器形状体を上下方向に取付けた外部パネルと、前記筐体の側面と前記外部パネルの間に該外部パネルに覆われるように配置され、同じく前記筐体の側面に、凹部側を前記側面側として、下部側の側板のない全体的に長形の容器形状体を上下方向に取付けた内部パネルとからなり、
また、前記外部パネルの上部に外部空気を吸込む前記冷却用吸込口を設け、また、下部で、前記空間部の下方に前記排気口を設け、
また、前記外部パネルと前記内部パネルとにより前記冷却用吸込口から吸込まれた外部空気が下方向に流れる前記第１風路を形成し、また、前記筐体の側面と前記内部パネルとにより外部空気が上方向に流れる前記第２風路を形成し、
さらに、前記筐体の側面と前記第２風路の前記始端部を形成する前記内部パネルの下端部は、前記外部パネルの前記冷却用吸込口より下方としたことを特徴とする請求項１に記載の室外機。
【請求項３】
請求項１または請求項２に記載の室外機と室内機とを冷媒配管により配管接続したことを特徴とする空気調和機。
【発明の詳細な説明】
【技術分野】
【０００１】
本発明は、空気調和機の室外機及びこの室外機を使用した空気調和機に関し、特に室外機の電装箱の冷却に関するものである。
【背景技術】
【０００２】
従来の室外機の電装箱の冷却は、室外ファンによって、外気流入口から吸引された室外空気が流風部を通り、電装箱内を通過し、電装品を冷却し、外気流出口から熱交換器室、オリフィスを通って吹出口より吹出されることにより、行われる。この時室外空気と共に入ってくる水滴は、流風部内の上下の防水壁に当って電装箱内には侵入しないとされる（例えば、特許文献１参照）。
【特許文献１】特開平６−２５７７９６号公報（第５頁、図４）
【発明の開示】
【発明が解決しようとする課題】
【０００３】
しかしながら、上記の電装箱の冷却において、台風等により風圧がかかった風雨が外気流入口から入った場合には、防水壁を乗り越えて水滴が電装品箱内に侵入してしまう。また、風圧がかかった埃を含んだ空気の場合にも、風圧により電装箱内に埃が侵入し易い。そこで、これらの水滴、埃により電装品が故障する恐れがあるという課題がある。
【０００４】
本発明は、上記のような課題を解消するためになされたもので、風圧がかかった風雨や埃が外気流入口から入った場合にも、水滴や埃が電装箱へ侵入するのを防止する室外機及びこの室外機を使用した空気調和機を得ることを目的とする。
【課題を解決するための手段】
【０００５】
本発明の室外機は、外部空気が流入する冷却用吸込口と、冷却用吸込口から吸入した外部空気を導く第１風路と、第１風路と外部空気の流れ方向が異なり、終端部が電装箱に連通する第２風路と、第１風路の終端部と第２風路の始端部とが合体する空間部と、第１風路の外部空気の流れ方向と同方向で、空間部より先方に設けた排気口とを備えた通風構造体を有し、室外ファンにより冷却用吸込口から外部空気を吸込み、第１風路に導き、空間部を経て、第２風路を通り、電装箱に導くとともに、外部空気の風圧が強いときは、第１風路に導かれた外部空気が空間部を経て、同方向の先方の排気口から外部に排気されるものである。
【発明の効果】
【０００６】
本発明の室外機は、冷却用吸込口から外部空気を導く第１風路と、第１風路と外部空気の流れ方向が異なり、終端部が電装箱に連通する第２風路と、第１風路の終端部と第２風路の始端部とが合体する空間部と、第１風路の外部空気の流れ方向と同方向で、空間部より先方に設けた排気口とを備えたので、通常は、室外ファンにより冷却用吸込口から外部空気を吸込み、第１風路に導き、空間部を経て、第２風路を通り、電装箱に導くとともに、外部空気の風圧が強いときは、第１風路に導かれた外部空気が空間部を経て、風圧により同方向の先方の排気口から外部に排気されるので、風圧がかかった風雨や埃が外気流入口にきた場合にも、水滴や埃が電装箱へ侵入するのを防止でき、電装箱内の電装部品の故障を防止できる。
【発明を実施するための最良の形態】
【０００７】
実施の形態１．
図１は、本発明の実施の形態1の室外機の室外機本体の全体構成を示す断面図であり、図２は、図１の室外機本体の電装箱を冷却する通風構造を説明する要部断面図であり、図３は、図２の通風構造を構成する外部パネル及び内部パネルを示す分解斜視図である。
これらの図において、室外機の室外機本体１０は、外観が箱状のものであり、この箱状の筐体内は、熱交換室３０と筐体内の側端部を隔壁１５で仕切った圧縮機室１６とに区画される。そして、熱交換室３０には、背面側の室外熱交換器（図示省略）及び前面側の、ファンモータ（図示省略）により駆動する室外ファン２０とオリフィス３１等が収容される。また、圧縮機室１６には、圧縮機１７等が収容される。さらに、圧縮室１６の上部から一部熱交換室３０の上部に跨って配置された電装箱８を有する。また、筐体の背面に吸込口（図示省略）が設けられ、前面に吹出口３２が設けられている。
【０００８】
室外機の室外機本体１０は、筐体の圧縮機室１６側の側面に、電装箱８内の電装品の冷却用の通風を行う通風構造体を設置する。通風構造体は、筐体の側面に取付けた外部パネル１と、外部パネル１に覆われるように、筐体の側壁と外部パネル１の間に配置され、同じく筐体の側面に取付けた内部パネル３とから形成する。
外部パネル１は、全体的に、上下方向が、筐体の側面の高さとほぼ同じであり、幅方向が上下方向より小さい、上下方向に長形の容器形状体であり、この容器形状体は、底板と周りの側板とで容器形状体を形成し、上部側が浅く、下部側が深くなっている。この外部パネル１である容器形状体の凹部側を筐体の側面側とし、筐体の側面に外部パネル１の側板の縁部を密着固定し、筐体の側面と外部パネル１とで囲まれた空間を形成する。
外部パネル１の上部側の浅い容器形状体の底板部分に、外部空気を吸込む冷却用吸入口である通風用開口ルーバ２を形成する。また、下部側の深い容器形状の側板に排気口である排気用通風口６を形成する。
【０００９】
筐体の側面と外部パネル１の上部側とで囲われる空間を二分し、筐体の側面と外部パネル１の上部側の浅い容器形状体の底板とのほぼ中間に、上下方向に内部パネル３を取付ける。
内部パネル３は、全体的には長形の浅い容器形状体であり、底板とその周りの側板とで容器形状体を形成するが、下部側の側板はない。また、下部側の最下端部は、外部パネル１の通風用開口ルーバ２の最下端部より下方となるように形成される。そして、下部側を除いて、側板の縁部を筐体の側面に密着固定する。
【００１０】
このように外部パネル１と内部パネル３とで形成した通風構造体は、外部パネル１と内部パネル３とにより形成され、吸込まれた外部空気が下方向に流れる第１風路４ａと、筐体の側面と内部パネル３とにより形成され、上方向に流れる第２風路４ｂとを有する。
そして、第１風路４ａの上部は、適宜閉塞し、通風用開口ルーバ２から流入した外部空気が上方に流れないようにする。
また、内部パネル３の最下端部と外部パネル１とで形成する第１風路４ａの終端部と、筐体の側面と内部パネル３の最下端部とで形成する第２風路４ｂの始端部（図２の冷却用通風口７）とが合体する空間部５、即ち、両風路４ａ、４ｂを接続する空間部５で、第１風路を下方向に流れる流入空気が貯まる空間部５が、外部パネル１内で、両風路４ａ、４ｂの下方に形成される。そして、この空間部５の下方で、筐体の側面と外部パネル１の下部側の深い容器形状体とで形成した空間（風路）の容器形状体の側板に排気口である排気用通風口６を形成する。
また、筐体の側面と内部パネル３とで形成する第２風路４ｂの上部は、電装箱８の開口部に連通するようにする。
【００１１】
このような通風構造体においては、室外ファン２０によって通風用開口ルーバ２から吸引された外部空気は、内部パネル３に衝突し、第１風路４を下方に導かれ、空間部５に到り、筐体の側面と仕切板３の最下端部で形成される冷却用通風口７から第２風路４ｂを上昇し、電装箱８に入り、内部の電装品を冷却し、熱交換室３０に開口する外気流出口９から熱交換室３０に入り、筐体背面の吸込口から吸引され、熱交換器を通過した外部空気と共にオリフィス３１を通過し、正面側の吹出口３２より外部に吹出される。
また、台風等により外部が風圧のかかった風雨状態の場合には、通風用開口ルーバ２から風圧のかかった外部空気と共に水滴や塵埃が流入される。水滴や塵埃を含んだ外部空気は内部パネル３と衝突後、第１風路４ａを下方に導かれ、内部パネル３との衝突により幾分弱まるが、依然強い風圧により空間部５を通過して、第１風路に続く下方の風路の排気用通風口６から排出される。そして、冷却用通風口７からは、空間部５の水滴や塵埃のない外部空気が吸引される。
なお、排気用通風口６には、図３に示すように、室内機に接続する断熱材付きの冷媒配管と内外接続配線（図示省略）が通り、これらで塞がれ開口は小さくなる。
【００１２】
電装箱８を冷却する通風構造体は、上記の外部パネル１と内部パネル３とにより外側の第１風路４ａと内側の第２風路４ｂとに風路を重ねて形成したものに限らず、例えば、図３において、内部パネル３の容器形状体の容器深さを外部パネル１の上部の容器形状体と同じように深くし、両パネル１、３を筐体の側面に並置し、空間部５を内部パネル３に連通するように別パネル等で接続し、筐体の背面と外部パネル１とにより第１風路４ａを形成するとともに、筐体の背面と内部パネル３とにより第２風路４ｂを形成しても良い。
要するに、冷却用吸込口である通風用開口ルーバ２から吸入した外部空気を導く第１風路４ａと、第１風路４ａと外部空気の流れ方向が異なり、終端部が電装箱８に連通する第２風路４ｂと、第１風路４ａの終端部と第２風路４ｂの始端部とが合体する空間部５と、第１風路４ａの外部空気の流れ方向と同方向で、空間部５より先方の風路に設けた排気口である排気用通風口６とを備えた通風構造体を有し、室外ファン２０により通風用開口ルーバ２から外部空気を吸込み、第１風路４ａに導き、空間部５を経て、第２風路４ｂを通り、電装箱８に導くとともに、外部空気の風圧が強いときは、第１風路４ａに導かれた外部空気が空間部５を経て、同方向の先方の風路の排気用通風口６から外部に排気されるものであれば良く、同様の効果が得られる。
なお、第１風路４ａと第２風路４ｂとの外部空気（流入空気）の流れ方向に関し、流れ方向が異なるとは、下方向に対して、真上方向（両方向のなす角度が１８０度の上下方向）に限らず、下方向に対して、斜め上方向等でも良い。
【００１３】
本室外機は、室内機と冷媒配管により配管接続することにより空気調和機を形成する。このような空気調和機は、室外機の電装箱８の電装部品の故障のない信頼性の高いものとなる。
【図面の簡単な説明】
【００１４】
【図１】本発明の実施の形態1の室外機本体の全体構成を示す断面図である。
【図２】図１の室外機本体の電装箱を冷却する通風構造を説明する要部断面図である。
【図３】図２の通風構造を構成する外部パネル及び内部パネルを示す分解斜視図である。
【符号の説明】
【００１５】
１  外部パネル、２  冷却用吸込口、３  内部パネル、４ａ  第１風路、４ｂ  第２風路、５  空間部、６  排気口、８  電装箱、１７  圧縮機、２０  室外ファン、３２  吹出口。
【図１】
2006084106.tif 000003
【図２】
2006084106.tif 000004
【図３】
2006084106.tif 000005